(57)【要約】【課題】  湾曲型の液晶表示パネルにおいて均一な曲率の曲面から成る表示面を有するものとすること。【解決手段】  液晶表示パネル７７は、一対の矩形状の基板５１，５６と、基板５１，５６間に挟持される液晶５５と、基板５１，５６間において液晶５５を取り囲むとともに液晶５５の注入口６１ｋがあるシール部材６１と、注入口６１ｋを塞ぐ封止材６１ｈと、を有しており、辺部７７ａとそれと対向する辺部７７ｃが湾曲している湾曲型の液晶表示パネル７７であって、注入口６１ｋは辺部７７ａに配置されており、辺部７７ａに対応するシール部材６１の部位６１ａよりも平面視で外側の部位にシール部材６１を補強する第１の補強部材１ａが注入口６１ｋを覆って配置されており、対向する辺部７７ｃに対応するシール部材６１の部位６１ｃよりも平面視で外側に第１の補強部材１ａに対応する第２の補強部材１ｃが配置されている。【選択図】  図１
2018036395.tif 000002
【特許請求の範囲】
【請求項１】
一対の矩形状の基板と、
前記一対の矩形状の基板間に挟持される液晶と、
前記一対の矩形状の基板間において前記液晶を取り囲むとともに前記液晶の注入口を有するシール部材と、
前記注入口を塞ぐ封止材と、を有しており、
一つの辺部とそれと対向する辺部が湾曲している湾曲型の液晶表示パネルであって、
前記注入口は、前記一つの辺部に配置されており、
前記一つの辺部に対応する前記シール部材の部位よりも平面視で外側に、前記シール部材を補強する第１の補強部材が前記注入口を覆って配置されており、前記対向する辺部に対応する前記シール部材の部位よりも平面視で外側に、前記第１の補強部材に対応する第２の補強部材が配置されている液晶表示パネル。
【請求項２】
前記第１の補強部材および前記第２の補強部材は、前記液晶表示パネルの側面に配置されている請求項１に記載の液晶表示パネル。
【請求項３】
前記第１の補強部材は、前記一つの辺部に対応する前記シール部材の部位を覆って配置されており、前記第２の補強部材は、前記対向する辺部に対応する前記シール部材の部位を覆って配置されている請求項１または請求項２に記載の液晶表示パネル。
【請求項４】
前記注入口は、それが配置される前記シール部材の部位の中央部にある請求項１乃至請求項３のいずれか１項に記載の液晶表示パネル。
【請求項５】
一対の矩形状の基板と、
前記一対の矩形状の基板間に挟持される液晶と、
前記一対の矩形状の基板間において前記液晶を取り囲むとともに前記液晶の注入口を有するシール部材と、
前記注入口を塞ぐ封止材と、を有しており、
一つの辺部とそれと対向する辺部が湾曲している湾曲型の液晶表示パネルであって、
前記注入口は、前記一つの辺部に配置されており、
前記一つの辺部に対応する前記シール部材の部位よりも平面視で内側に、前記シール部材を補強する第１の補強部材が配置されており、前記対向する辺部に対応する前記シール部材の部位よりも平面視で内側に、前記第１の補強部材に対応する第２の補強部材が配置されている液晶表示パネル。
【発明の詳細な説明】
【技術分野】
【０００１】
本発明は、湾曲型の液晶表示パネルに関するものである。
【背景技術】
【０００２】
従来のアクティブマトリクス方式のＬＣＤの一例を図４、図５に示す。図４は、従来の液晶表示装置（Liquid  Crystal  Device：ＬＣＤ）における液晶表示パネルの基本構成の平面図、図５は、従来のＬＣＤのブロック回路図である。図４に示すように、液晶表示パネルは、薄膜トランジスタ（Thin  Film  Transistor：ＴＦＴ）５２および画素電極５３を含む画素部５４が多数形成されたアレイ側基板５１と、カラーフィルタ及びブラックマトリクスが形成されたカラーフィルタ側基板５６とを互いに対向させて、それらの基板５１，５６を所定の間隔でもって貼り合わせ、それらの基板５１，５６間に液晶５５を充填、封入させることによって作製される。また、一般的に、カラーフィルタ側基板５６は、ＴＦＴ５２及び画素電極５３に対向する側の面（液晶５５側の面）の全面に、画素電極５３との間で液晶５５に印加する垂直電界を形成するための共通電極が形成されている。また、ＬＣＤが画素電極５３と共通電極との間で液晶５５に印加する横電界を形成するＩＰＳ（In-Plane  Switching）型のＬＣＤである場合、共通電極はアレイ側基板５１の画素電極５３と同じ面内に形成される。ＬＣＤが画素電極５３と共通電極との間で液晶５５に印加する端部電界を形成するＦＦＳ（Fringe  Field  Switching）型のＬＣＤである場合、共通電極はアレイ側基板５１の画素部５４に画素電極５３の上方または下方に絶縁層を挟んで形成される。また、カラーフィルタ側基板５６の液晶５５側の面には、それぞれの画素部５４に対応する赤（Ｒ）、緑（Ｇ）、青（Ｂ）のカラーフィルタ５７が形成されており、それぞれの画素部５４を通過する光が相互に干渉することを防ぐブラックマトリクスがカラーフィルタの外周を囲むように形成されている。
【０００３】
また、アレイ側基板５１の液晶５５側の面上に、画素部４のすべてが配置されている表示部６５と、表示部６５の周囲の非表示部がある。非表示部とシール部材６１を覆うように、樹脂製の枠体（フレーム）等から成る額縁部がある。また、アレイ側基板５１の液晶５５側の面上に、液晶５５に接するように、ポリイミド等から成る配向膜が配置されている。カラーフィルタ側基板５６の液晶５５側の面上に、液晶５５に接するように、ポリイミド等から成る配向膜が配置されている。
【０００４】
さらに、アレイ側基板５１の液晶５５側の面上において、シール部材６１の外側のゲート信号線６２（GL1，GL2，GL3〜GLm）の入力端部に、ゲート信号線６２に順次ゲート信号を入力するゲート信号線選択回路７３が配置されている。また、シール部材６１の外側の画像信号線（ソース信号線）６３（SL1，SL2，SL3〜SLn）の入力端部に、画像信号線６３に順次画像信号を入力する画像信号線選択回路７２が配置されている。画像信号線選択回路７２の外側であって、アレイ側基板５１のカラーフィルタ側基板５６から突出した部位ｇには、ゲート信号線選択回路７３および画像信号線選択回路７２を駆動する駆動回路７１が配置されている。駆動回路７１の外側の突出部ｇの端縁部には、駆動回路７１に駆動信号、制御信号等を入出力するためのＦＰＣ（Flexible  Printed  Circuit）７０が設置されている。
【０００５】
図５はＩＰＳ型のＬＣＤのブロック回路図であり、図５に示すように、ＴＦＴ５２を含む画素部５４（P11，P12，P13〜Pmn）が多数形成されたアレイ側基板５１は、その上の第１の方向（例えば、行方向）に形成された複数本のゲート信号線６２（GL1，GL2，GL3〜GLm）と、第１の方向と交差する第２の方向（例えば、列方向）にゲート信号線６２（GL1，GL2，GL3〜GLm）と交差させて形成された複数本の画像信号線（ソース信号線）６３（SL1，SL2，SL3〜SLn）と、ゲート信号線６２（GL1，GL2，GL3〜GLm）と画像信号線６３（SL1，SL2，SL3〜SLn）の各交差部に対応して形成された、ＴＦＴ５２及び液晶５５に印加する垂直電界あるいは水平電界（横電界）等の電界を形成するための画素電極５３（PE11，PE12，PE13〜PEmn）及び共通電極７４と、画素部５４（P11，P12，P13〜Pmn）と、共通電極７４に共通電圧（Vcom）を供給する共通電圧線７６と、を有する構成である。なお、図５において、７７は液晶表示パネルである。
【先行技術文献】
【特許文献】
【０００６】
【特許文献１】特開２０１０−２６３７２号公報
【発明の概要】
【発明が解決しようとする課題】
【０００７】
図４に示す上記従来の液晶表示パネルにおいては以下の問題点があった。図４のＬＣＤを湾曲型のものとして構成する場合、液晶表示パネル７７の辺部７７ｄにはＦＰＣ７０が設置されるために、辺部７７ｄとそれに対向する辺部７７ｂを湾曲させることはできない。そこで、辺部７７ａおよびそれと対向する辺部７７ｃを湾曲させることによって、湾面型のＬＣＤとすることとなる。図６は、表示側の面が視認者側に凸の曲面とされた液晶表示パネル７７の側面図（辺部７７ｃ側からみた側面図）である。辺部７７ａに対応するシール部材６１の部位に、液晶５５の注入口６１ｋがあり、注入口６１ｋにはそれを塞ぐための封止材６１ｈが配置されている。封止材６１ｈは、強固に硬化するエポキシ樹脂等の樹脂材料から成るため、シール部材６１において、注入口６１ｋおよび封止材６１ｈの部位（部位Ａ）の硬度がそれ以外の部位の硬度よりも高くなる。その結果、辺部７７ａの湾曲の曲率が、部位Ａで小さくなり（曲率半径が大きくなり）、部位Ａ以外の部位で大きくなる（曲率半径が小さくなる）という問題点があった。
【０００８】
また、辺部７７ａに対向する辺部７７ｃは、注入口６１ｋおよび封止材６１ｈがないので、辺部７７ｃの全体にわたって同じ曲率となる。その結果、辺部７７ａと辺部７７ｃとで湾曲の曲率が異なるという問題点もあった。
【０００９】
図７は、従来の湾曲型液晶パネルの１例を示す模式的な平面図であり、この湾曲型液晶パネルは、シール材８０が湾曲される部分におけるシール材８０の液晶に対して外側にシール材８０を補強する補強材８１が形成される構成である（例えば、特許文献１を参照）。しかしながら、特許文献１には、上述した、シール部材の注入口および封止材の部位における湾曲の曲率の問題点を解決する構成については何等開示されていない。
【００１０】
湾面型の液晶表示パネル７７において、曲率が異なる部位が存在すると、その部位の近傍のセルギャップの変化による局所的な歪みが生じ、表示ムラを発生させる問題点も生じていた。
【００１１】
本発明は、上記の問題点に鑑みて完成されたものであり、その目的は、湾面型の液晶表示パネルにおいて、均一な曲率の曲面から成る表示面を有するものとすることである。
【課題を解決するための手段】
【００１２】
本発明の液晶表示パネルは、一対の矩形状の基板と、前記一対の矩形状の基板間に挟持される液晶と、前記一対の矩形状の基板間において前記液晶を取り囲むとともに前記液晶の注入口を有するシール部材と、前記注入口を塞ぐ封止材と、を有しており、一つの辺部とそれと対向する辺部が湾曲している湾曲型の液晶表示パネルであって、前記注入口は、前記一つの辺部に配置されており、前記一つの辺部に対応する前記シール部材の部位よりも平面視で外側に、前記シール部材を補強する第１の補強部材が前記注入口を覆って配置されており、前記対向する辺部に対応する前記シール部材の部位よりも平面視で外側に、前記第１の補強部材に対応する第２の補強部材が配置されている構成である。
【００１３】
本発明の液晶表示パネルは、好ましくは、前記第１の補強部材および前記第２の補強部材は、前記液晶表示パネルの側面に配置されている。
【００１４】
また本発明の液晶表示パネルは、好ましくは、前記第１の補強部材は、前記一つの辺部に対応する前記シール部材の部位を覆って配置されており、前記第２の補強部材は、前記対向する辺部に対応する前記シール部材の部位を覆って配置されている。
【００１５】
また本発明の液晶表示パネルは、好ましくは、前記注入口は、それが配置される前記シール部材の部位の中央部にある。
【００１６】
本発明の液晶表示パネルは、一対の矩形状の基板と、前記一対の矩形状の基板間に挟持される液晶と、前記一対の矩形状の基板間において前記液晶を取り囲むとともに前記液晶の注入口を有するシール部材と、前記注入口を塞ぐ封止材と、を有しており、一つの辺部とそれと対向する辺部が湾曲している湾曲型の液晶表示パネルであって、前記注入口は、前記一つの辺部に配置されており、前記一つの辺部に対応する前記シール部材の部位よりも平面視で内側に、前記シール部材を補強する第１の補強部材が配置されており、前記対向する辺部に対応する前記シール部材の部位よりも平面視で内側に、前記第１の補強部材に対応する第２の補強部材が配置されている構成である。
【発明の効果】
【００１７】
本発明の液晶表示パネルは、一対の矩形状の基板と、一対の矩形状の基板間に挟持される液晶と、一対の矩形状の基板間において液晶を取り囲むとともに液晶の注入口を有するシール部材と、注入口を塞ぐ封止材と、を有しており、一つの辺部とそれと対向する辺部が湾曲している湾曲型の液晶表示パネルであって、注入口は、一つの辺部に配置されており、一つの辺部に対応するシール部材の部位よりも平面視で外側に、シール部材を補強する第１の補強部材が注入口を覆って配置されており、対向する辺部に対応するシール部材の部位よりも平面視で外側に、第１の補強部材に対応する第２の補強部材が配置されている構成であることから、以下の効果を奏する。シール部材において、液晶表示パネルの湾曲している辺部に対応する部位に注入口および封止材があっても、注入口および封止材の部位の曲率とそれ以外の部位の曲率が異なることを抑えることができる。その結果、注入口および封止材があるシール部材の部位に対応する湾曲している辺部の曲率が、その辺部全体にわたって均一となる。また、注入口および封止材があるシール部材の部位に対応する湾曲している辺部の曲率と、その辺部に対向する辺部の曲率とが、同じになるという効果も奏する。また、曲率の不均一に起因する表示ムラを抑えることもできる。
【００１８】
本発明の液晶表示パネルは、第１の補強部材および第２の補強部材は、液晶表示パネルの側面に配置されている場合、第１の補強部材および第２の補強部材（以下、「第１の補強部材および第２の補強部材」を総称して「補強部材」ともいう）が液晶表示パネルの基板の面に配置されている場合と比較して補強効果が向上する。例えば、補強部材が硬化性の樹脂接着材から成る場合、補強部材自体の形状の保持力と、変形しようとする液晶表示パネルの側面に平行な方向に作用する補強部材の接着力とが相俟って、変形しようとする液晶表示パネルの側面に抗力として作用する。従って、液晶表示パネルの変形を効果的に抑えて、その基板の曲面に曲率が部分的に異なる部位が生じることを効果的に抑えることができる。
【００１９】
また本発明の液晶表示パネルは、第１の補強部材は、一つの辺部に対応するシール部材の部位を覆って配置されており、第２の補強部材は、対向する辺部に対応するシール部材の部位を覆って配置されている場合、上記の各辺部の湾曲の曲率を均一化することが容易になる。
【００２０】
また本発明の液晶表示パネルは、注入口は、湾曲している辺部に対応するシール部材の部位の中央部に配置されている場合、注入口および封止材による高硬度の部位が湾曲している辺部に対する影響を、その辺部全体に分散させることができる。その結果、その辺部における注入口および封止材の部位とそれ以外の部位とで曲率の違いを小さくすることができる。
【００２１】
本発明の液晶表示パネルは、一対の矩形状の基板と、一対の矩形状の基板間に挟持される液晶と、一対の矩形状の基板間において液晶を取り囲むとともに液晶の注入口を有するシール部材と、注入口を塞ぐ封止材と、を有しており、一つの辺部とそれと対向する辺部が湾曲している湾曲型の液晶表示パネルであって、注入口は、一つの辺部に配置されており、一つの辺部に対応するシール部材の部位よりも平面視で内側に、シール部材を補強する第１の補強部材が配置されており、対向する辺部に対応するシール部材の部位よりも平面視で内側に、第１の補強部材に対応する第２の補強部材が配置されている構成であることから、以下の効果を奏する。シール部材において、液晶表示パネルの湾曲している辺部に対応する部位に注入口および封止材があっても、注入口および封止材の部位の曲率とそれ以外の部位の曲率が異なることを抑えることができる。その結果、注入口および封止材があるシール部材の部位に対応する湾曲している辺部の曲率が、その辺部全体にわたって均一となる。また、注入口および封止材があるシール部材の部位に対応する湾曲している辺部の曲率と、その辺部に対向する辺部の曲率とが、同じになるという効果も奏する。また、曲率の不均一に起因する表示ムラを抑えることもできる。
【図面の簡単な説明】
【００２２】
【図１】図１は、本発明の液晶表示パネルについて実施の形態の１例を示す図であり、液晶表示パネルの平面図である。
【図２】図２は、他の発明の液晶表示パネルについて実施の形態の一例を示す図であり、液晶表示パネルの平面図である。
【図３】図３は、他の発明の液晶表示パネルについて実施の形態の他例を示す図であり、液晶表示パネルの平面図である。
【図４】図４は、従来の液晶表示パネルの１例を示す図であり、液晶表示パネルの平面図である。
【図５】図５は、従来の液晶表示装置のブロック回路図である。
【図６】図６は、従来の湾曲型の液晶表示パネルの１例を示す図であり、表示側の面が視認者側に凸の曲面とされた液晶表示パネルの側面図である。
【図７】図７は、従来の湾曲型液晶パネルの１例を示す図であり、湾曲型液晶パネルの模式的な平面図である。
【発明を実施するための形態】
【００２３】
以下、本発明の液晶表示パネルの実施の形態について図面を参照しながら説明する。但し、以下で参照する各図は、本発明の液晶表示パネルの実施の形態における構成部材のうち、本発明の液晶表示パネルを説明するための主要部を示している。従って、本発明に係る液晶表示パネルは、図に示されていない回路基板、配線導体、制御ＩＣ，ＬＳＩ等の周知の構成部材を備えていてもよい。なお、本発明の液晶表示パネルの構成を示す図１〜図３において、従来の液晶表示パネルの構成を示す図４と同じ部位には同じ符号を付しており、それらの詳細な説明は省く。
【００２４】
図１は、本発明の液晶表示パネルについて実施の形態の１例を示す図であり、液晶表示パネルの平面図である。本発明の液晶表示パネル７７は、一対の矩形状の基板５１，５６（アレイ側基板５１，カラーフィルタ側基板５６）と、一対の矩形状の基板５１，５６間に挟持される液晶５５と、一対の矩形状の基板５１，５６間において液晶５５を取り囲むとともに液晶５５の注入口６１ｋがあるシール部材６１と、注入口６１ｋを塞ぐ封止材６１ｈと、を有しており、一つの辺部７７ａとそれと対向する辺部７７ｃが湾曲している湾曲型の液晶表示パネル７７であって、注入口６１ｋは一つの辺部７７ａに配置されており、一つの辺部７７ａに対応するシール部材６１の部位よりも平面視で外側の部位に、シール部材６１を補強する第１の補強部材１ａが注入口６１ｋを覆って配置されており、対向する辺部７７ｃに対応するシール部材６１の部位よりも平面視で外側に、第１の補強部材１ａに対応する第２の補強部材１ｃが配置されている配置されている構成である。この構成により、以下の効果を奏する。シール部材６１において、液晶表示パネル７７の湾曲している一つの辺部７７ａに対応する部位に注入口６１ｋおよび封止材６１ｈがあっても、注入口６１ｋおよび封止材６１ｈの部位の曲率とそれ以外の部位の曲率が異なることを抑えることができる。その結果、注入口６１ｋおよび封止材６１ｈがあるシール部材６１の部位に対応する湾曲している辺部７７ａの曲率が、その辺部７７ａ全体にわたって均一となる。また、注入口６１ｋおよび封止材６１ｈがあるシール部材６１の部位に対応する湾曲している辺部７７ａの曲率と、その辺部７７ａに対向する辺部７７ｃの曲率とが、同じになるという効果も奏する。また、曲率の不均一に起因する表示特性のばらつきを抑えることもできる。
【００２５】
第１の補強部材１ａおよび第２の補強部材１ｃは、エポキシ樹脂等から成る封止材６１ｈと同じ材料から成ることが好ましい。その場合、封止材６１ｈの塗布装置等の製造装置を第１の補強部材１ａおよび第２の補強部材１ｃの製造装置として兼用することができ、また封止材６１ｈの塗布工程と同じ工程で第１の補強部材１ａおよび第２の補強部材１ｃを塗布することもできる。この場合、第１の補強部材１ａは封止材６１ｈと一体化されたものとなり得る。また、第１の補強部材１ａおよび第２の補強部材１ｃは、封止材６１ｈと異なる材料から成っていてもよい。また、例えば第１の補強部材１ａおよび第２の補強部材１ｃはそれぞれ帯状のものであり、その厚みは1.0μｍ〜5.0μｍ程度、幅は0.5ｍｍ〜2.5ｍｍ程度である。
【００２６】
また、好適には、第１の補強部材１ａは、一つの辺部７７ａに対応するシール部材６１の部位６１ａを覆って配置されている。すなわち、第１の補強部材１ａは、一つの辺部７７ａに対応するシール部材６１の部位６１ａの長さより長い長さを有するとともに、第１の補強部材１ａの両端が部位６１ａの両端から長手方向においてそれぞれ突出している。同様に、第２の補強部材１ｃは、辺部７７ｃに対応するシール部材６１の部位６１ｃを覆って配置されている。すなわち、第２の補強部材１ｃは、辺部７７ｃに対応するシール部材６１の部位６１ｃの長さより長い長さを有するとともに、第１の補強部材１ａの両端が部位６１ａの両端から長手方向においてそれぞれ突出している。従って、第１の補強部材１ａおよび第２の補強部材１ｃのそれぞれの長さは、例えば部位６１ａ，６１ｃの長さよりも0.0ｍｍを超え7.0ｍｍ程度以下の長さだけ長くなる。
【００２７】
また、第１の補強部材１ａおよび第２の補強部材１ｃは、同じ形状であることがよい。この場合、液晶表示パネル７７の辺部７７ａの曲率と辺部７７ｃの曲率とが同じになりやすい。
【００２８】
また、第１の補強部材１ａおよび第２の補強部材１ｃのそれぞれは、一連のものであってもよく、断続的に形成されたものであってもよい。いずれにしても、第１の補強部材１ａは注入口６１ｋを覆って配置されている。
【００２９】
本発明の液晶表示パネル７７は、図１に示すように、第１の補強部材１ａおよび第２の補強部材１ｃは、液晶表示パネル７７の側面に配置されていることが好ましい。この場合、第１の補強部材１ａおよび第２の補強部材１ｃが液晶表示パネル７７の基板の面に配置されている場合と比較して補強効果が向上する。例えば、第１の補強部材１ａおよび第２の補強部材１ｃが硬化性の樹脂接着材から成る場合、第１の補強部材１ａ自体および第２の補強部材１ｃ自体の形状の保持力と、変形しようとする液晶表示パネル７７の側面に平行な方向に作用する第１の補強部材１ａおよび第２の補強部材１ｃの接着力とが相俟って、変形しようとする液晶表示パネル７７の側面に抗力として作用する。従って、液晶表示パネル７７の変形を効果的に抑えて、アレイ側基板５１，カラーフィルタ側基板５６の曲面に曲率が部分的に異なる部位が生じることを効果的に抑えることができる。また、第１の補強部材１ａおよび第２の補強部材１ｃはそれぞれ、それらの一部が液晶表示パネル７７の側面から基板５１と基板５６との間の隙間に入り込んでいてもよい。
【００３０】
また上記の構成において、封止材６１ｈは液晶表示パネル７７の側面から突出しておらず、基板５１と基板５６との間に配置されていることがよい。このような構成は、以下の製造方法によって達成できる。まず、封止材６１ｈとなる硬化前の液状樹脂接着材を、基板５１の液晶５５側の主面における注入口６１ｋの内側および周囲に塗布する。次に、基板５６の液晶５５側の主面を、基板５１の液晶５５側の主面に対向させた状態で、基板５１と基板５６をそれぞれ外側から治具によって押圧し、余分な液晶５５を基板５１と基板５６の間から外部に溢れ出させる。次に、治具による押圧を止めて基板５１と基板５６を押圧力から開放する。このとき、基板５１と基板５６との間の隙間（ギャップ）が若干拡がり、封止材６１ｈとなる液状樹脂接着材が負圧によって液晶５５の側へ吸い込まれる。その結果、封止材６１ｈとなる液状樹脂接着材は液晶表示パネル７７の側面から突出しておらず、基板５１と基板５６との間に配置される構成となる。次に、液状樹脂接着材を紫外線照射等によって光硬化させるか、または熱硬化させる。
【００３１】
封止材６１ｈが液晶表示パネル７７の側面から突出していない場合、液晶表示パネル７７の側面に配置された第１の補強部材１ａに凹凸が形成されないので、第１の補強部材１ａによる液晶表示パネル７７の変形抑制効果が辺部７７ａ全体にわたって均一に作用しやすくなる。また、液晶表示パネル７７の大型化を防ぐこともできる。
【００３２】
また本発明の液晶表示パネル７７は、第１の補強部材および第２の補強部材は、液晶表示パネル７７の主面に配置されていてもよい。また、第１の補強部材および第２の補強部材は、液晶表示パネル７７の表面（視認者側の面）または裏面に配置されていてもよい。あるいは、第１の補強部材および第２の補強部材は、アレイ側基板５１とカラーフィルタ側基板５６との間に、シール部材６１と同じ厚みで配置されていてもよい。あるいは、第１の補強部材および第２の補強部材は、アレイ側基板５１の液晶５５側の面またはカラーフィルタ側基板５６の液晶５５側の面に配置されていてもよい。これらの場合、第１の補強部材および第２の補強部材がアレイ側基板５１とカラーフィルタ側基板５６との間にあって、液晶表示パネル７７の外側に突出していないので、小型化された液晶表示パネル７７となる。
【００３３】
また本発明の液晶表示パネル７７は、一つの辺部７７ａに対応するシール部材６１の部位６１ａよりも平面視で内側に、シール部材６１を補強する第１の補強部材２ａが配置されており、対向する辺部７７ｃに対応するシール部材６１の部位６１ｃよりも平面視で内側に、第１の補強部材２ａに対応する第２の補強部材２ｃが配置されている構成である。図２は、上記の構成において、さらに第１の補強部材２ａおよび第２の補強部材２ｃが、アレイ側基板５１とカラーフィルタ側基板５６との間に配置されている構成である。この場合、上述した本発明の効果を奏するとともに、第１の補強部材２ａおよび第２の補強部材２ｃがアレイ側基板５１とカラーフィルタ側基板５６との間にあって、液晶表示パネル７７の外側に突出していないので、小型化された液晶表示パネル７７となる。
【００３４】
図２の構成において、第１の補強部材２ａおよび第２の補強部材２ｃは、それぞれの高さが、アレイ側基板５１とカラーフィルタ側基板５６との間の隙間の高さよりも低いことがよい。その場合、液晶５５を表示部６５に注入しやすくなる。
【００３５】
図３は、図２の構成において、第１の補強部材３ａおよび第２の補強部材３ｃが、それぞれ断続的に形成された構成である。この場合、第１の補強部材３ａにおける一部分とそれに隣接している部分との間の隙間３ａｈであって、注入口６１ｋに最も近い隙間３ａｈは、注入口６１ｋの幅と同じであることが良い。この場合、硬度の高い封止材６１ｈの部位を避けて第１の補強部材３ａを配置しているので、辺部７７ａの全体にわたって曲率を均一化することが容易になる。また、液晶５５を表示部６５に注入しやすくなる。
【００３６】
また本発明の液晶表示パネル７７は、注入口６１ｋは、湾曲している辺部７７ａに対応するシール部材６１の部位６１ａの中央部に配置されていることが好ましい。この場合、注入口６１ｋおよび封止材６１ｈによる高硬度の部位が湾曲している辺部７７ａに対する影響を、その辺部７７ａ全体に分散させることができる。その結果、その辺部７７ａにおける注入口６１ｋおよび封止材６１ｈの部位とそれ以外の部位とで曲率の違いを小さくすることができる。またこの場合、上記のシール部材６１の部位６１ａの中央部とは、例えば上記のシール部材６１の部位６１ａの長さの中央部３０％程度の長さの範囲の部位であり、その中央部３０％程度の長さの範囲の部位に注入口６１ｋおよび封止材６１ｈが配置されていればよい。好ましくは中央部２０％程度の長さの範囲の部位がよく、より好ましくは中央部１０％程度の長さの範囲の部位がよい。
【００３７】
なお、本発明の液晶表示パネルは、上記実施の形態に限定されるものではなく、適宜の設計的な変更、改良が施されていてもよい。例えば、矩形状の基板５１，５６は、完全な矩形（長方形等の四角形）である必要はなく、四角形に近似した形状であってもよい。例えば、少なくとも一つの辺部７７ａとそれと対向する辺部７７ｃを有している形状であって、辺部７７ｂおよび辺部７７ｄがそれぞれ曲線状である形状、辺部７７ｂおよび辺部７７ｄがそれぞれ角部を有する形状であってもよく、全体的に矩形状であればよい。
【産業上の利用可能性】
【００３８】
本発明の液晶表示パネルは各種の電子機器に適用できる。その電子機器としては、スマートウォッチ等のデジタル表示式腕時計、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、ヘッドアップディスプレイ、デジタルオーディオプレイヤー、ファクシミリ、プリンター、コピー機、現金自動預け入れ払い機（ＡＴＭ）、自動販売機、頭部装着型画像表示装置（Head  Mounted  Display  device  ：ＨＭＤ）、列車等の車両内の広告表示器などがある。
【符号の説明】
【００３９】
１ａ、２ａ、３ａ  第１の補強部材
１ｃ、２ｃ、３ｃ  第２の補強部材
５１  アレイ側基板
５６  カラーフィルタ側基板
６１  シール部材
６１ｋ  注入口
６１ｈ  封止材
７７  液晶表示パネル
７７ａ、７７ｂ、７７ｃ、７７ｄ  辺部
【図１】
2018036395.tif 000003
【図２】
2018036395.tif 000004
【図３】
2018036395.tif 000005
【図４】
2018036395.tif 000006
【図５】
2018036395.tif 000007
【図６】
2018036395.tif 000008
【図７】
2018036395.tif 000009